(57)【要約】【課題】送信元端末から送信先端末への電子価値情報の移動を確実に保証する。【解決手段】本発明の具体例として示す電子バリュー伝送方法では、まず、フェーズ１として、電子バリューの送信元端末である送り手と送信先端末である受け手との間で相互を認証する処理を行い、フェーズ１における認証処理で送り手と受け手とが互いに認識された場合、フェーズ２として実際に電子バリューを移動する。フェーズ２では、電子バリューを移動する際に、まず送り手と受け手との間のセキュアな送受信路を構成する。秘匿性の高い送受信路を構成した後、電子バリューを移動する。電子バリューの移動が完了すると、フェーズ３として、送り手に残された電子バリューを無効化し、受け手でも不要な情報を消去し送り手にその旨を通知する。この通知をもって送り手は、移動前の電子バリュー及びこの電子バリューの移動処理に関連する全情報を削除する。これにより、送信元端末から送信先端末への電子価値情報の移動が確実に保証される。【選択図】図１
2006155045.tif 000002
【特許請求の範囲】
【請求項１】
電子価値情報を端末間にて移動させる電子価値情報伝送方法において、
電子価値情報の送信元である送信元端末と送信先である送信先端末との間で共通の認証情報を用いて相互に認証する認証工程と、
認証により得られた共有情報を上記送信元端末と上記送信先端末とで共有する認証共有工程と、
上記送信元端末から認証された送信先端末に送信する電子価値情報を含むデータを暗号化する暗号化工程と、
上記認証工程において上記送信元端末及び送信先端末が互いに認識されたとき上記暗号化工程において暗号化した電子価値情報を上記送信先端末に送信する価値情報移動工程と、
上記送信元端末に残された電子価値情報を一時的に無効化する無効化工程と、
上記電子価値情報を上記送信先端末で受信完了したとき送信元端末に対して受信確認を返信する受信確認送出工程と、
上記送信元端末で上記受信確認を受信したとき上記送信元端末に残された無効化された電子価値情報を削除する価値情報削除工程と、
上記電子価値情報の削除後に上記送信先端末に対して上記電子価値情報を有効化するための有効化情報を送信する有効化情報送信工程と、
上記送信先端末において有効化情報を受信し電子価値情報を有効化する価値情報有効化工程と
を有することを特徴とする電子価値情報伝送方法。
【請求項２】
上記暗号化工程は、上記認証共有工程で共有された共有情報を用いて上記送信元端末と上記送信先端末との間で送受するデータを全て暗号化することを特徴とする請求項１記載の電子価値情報伝送方法。
【請求項３】
上記価値情報削除工程は、上記送信元端末に残された移動前の電子価値情報と該電子価値情報に関連する全ての情報とを削除することを特徴とする請求項１記載の電子価値情報伝送方法。
【請求項４】
上記認証情報を使用して上記電子価値情報を暗号化する価値情報暗号化工程を有し、上記価値情報移動工程では、上記価値情報暗号化工程で暗号化された電子価値情報が上記送信先端末に送信されることを特徴とする請求項１記載の電子価値情報伝送方法。
【請求項５】
上記送信先端末における受信確認送出工程の後、上記暗号化された電子価値情報を上記認証情報を使用して暗号復号化する価値情報暗号復号化工程を有することを特徴とする請求項４記載の電子価値情報伝送方法。
【請求項６】
上記認証情報は、電子価値情報を移動する端末間で予め決められた共通鍵であって、上記認証工程で送受されるデータは全て上記共通鍵で暗号化されていることを特徴とする請求項１記載の電子価値情報伝送方法。
【請求項７】
上記認証工程では、予め決められた公開鍵と送信元である上記送信元端末と上記送信先端末の端末毎に用意された固有情報とによって上記送信元端末と上記送信先端末とが互いに認証した後、上記送信元端末がセッション鍵を生成し、上記生成されたセッション鍵を認証情報とすることを特徴とする請求項１記載の電子価値情報伝送方法。
【請求項８】
上記価値情報削除工程において上記送信元端末に残された無効化された電子価値情報及び上記電子価値情報に関連する全ての情報を削除した後、上記有効化情報送信工程は、上記電子価値情報を有効にする有効化情報を上記送信先端末に送信することを特徴とする請求項１記載の電子価値情報伝送方法。
【請求項９】
上記送信元端末と上記送信先端末との間の通信寸断を判断する寸断判断工程を有し、
上記送信元端末と上記送信先端末には端末に固有の情報が用意されており、上記認証工程、上記価値情報移動工程及び上記受信確認送出工程では何れの処理段階にあるかを示すカウンタと上記固有情報を互いに送受するとともに、上記認証工程、上記価値情報移動工程及び上記受信確認送出工程が完了したことを示す完了通知を送受し、
上記寸断判断工程は、上記認証工程、上記価値情報移動工程及び上記受信確認送出工程のうち一方の端末において上記完了通知が受信できないとき端末間通信が寸断されたと判断して上記固有情報を有する端末との間で上記完了通知が受け取れなかったカウンタで示される工程を繰り返すことを特徴とする請求項１記載の電子価値情報伝送方法。
【請求項１０】
電子価値情報を端末間にて移動させる電子価値情報伝送方法において、
電子価値情報の送信元である送信元端末と送信先である送信先端末との間で共通な認証情報を用いて相互に認証する認証工程と、
認証により得られた共有情報を上記送信元端末と上記送信先端末とで共有する認証共有工程と、
上記電子価値情報を電子価値情報としての意味をもたない送信単位に分割する価値情報分割工程と、
上記認証工程において上記端末が互いに認識されると上記価値情報分割工程において生成された一送信単位を送信先端末に送信する価値情報移動工程と、
上記送信単位を上記送信先端末で受信したとき送信元端末に対して受信確認を返信する受信確認送出工程と、
上記受信確認を上記送信元端末で受信したとき上記送信元端末に残された上記一送信単位を削除する単位情報削除工程とを有し、
上記受信確認を上記送信元端末で受信したとき上記一送信単位に続く次の送信単位を送信し、該次の送信単位を上記送信先端末で受信したとき上記送信元端末に残された該次の送信単位を削除し、上記電子価値情報の送信単位が完全に移動されると上記電子価値情報が再構成されることを特徴とする電子価値情報伝送方法。
【請求項１１】
上記価値情報分割工程において分割された送信単位を送信先端末に順に送る上記価値情報移動工程、上記受信確認送出工程、及び上記単位情報削除工程において、上記送信元端末と上記送信先端末との間の通信寸断を判断する寸断判断工程を有し、
上記送信元端末と上記送信先端末には端末に固有の情報が用意されており、上記価値情報移動工程、上記受信確認送出工程では送信単位を区別するカウンタと上記端末の固有情報を互いに送受するとともに上記送信先端末では各送信単位の受信が完了したことを示す完了通知を送信元端末に対して送信し、
上記寸断判断工程は、上記価値情報移動工程、上記受信確認送出工程において送信元端末で上記完了通知が受信できないとき、端末間通信が寸断されたと判断して上記固有情報を有する端末との間で上記完了通知が受け取れなかったカウンタで示される送信単位を移動する工程を繰り返すことを特徴とする請求項１０記載の電子価値情報伝送方法。
【請求項１２】
電子価値情報を端末間にて移動させる電子価値情報伝送方法において、
電子価値情報の送信元である送信元端末と送信先である送信先端末との間で共通な認証情報を用いて相互に認証する認証工程と、
認証により得られた共有情報を上記送信元端末と上記送信先端末とで共有する認証共有工程と、
乱数を発生させる乱数発生工程と、
上記認証工程において上記端末が互いに認識された場合、上記乱数発生工程において発生した乱数を使用して上記電子価値情報を暗号化する価値情報暗号化工程と、
上記送信元端末から認証された送信先端末に送信する電子価値情報を含むデータを暗号化する暗号化工程と、
上記認証工程において上記送信元端末及び送信先端末が互いに認識されたとき上記暗号化工程において暗号化した電子価値情報を送信先端末に送信する価値情報移動工程と、
上記送信元端末に残された電子価値情報を一時的に無効化或いは削除する無効化工程と、
上記電子価値情報を上記送信先端末で受信完了したとき送信元端末に対して受信確認を返信する受信確認送出工程と、
上記無効化工程において上記送信元端末に残された電子価値情報の無効化が完了した後に上記送信先端末に上記乱数を送信する乱数送信工程と、
上記暗号化された電子価値情報を上記乱数を使用して暗号復号化する価値情報暗号復号化工程と、
上記送信先端末で電子価値情報が暗号復号化されたとき上記送信元端末に残された無効化された電子価値情報を削除する価値情報削除工程と
を有することを特徴とする電子価値情報伝送方法。
【請求項１３】
端末間において電子価値情報を移動する電子価値情報伝送システムにおいて、
電子価値情報の送信元となる送信元端末は、
上記電子価値情報の送信先である送信先端末との間で共通な認証情報を用いて相互に認証する送信先端末認証手段と、
上記送信先端末認証手段において送信先が認証されると上記電子価値情報を上記送信先端末に送信する及び上記暗号化された電子価値情報に対する受信確認を受信する送受信手段と、
上記電子価値情報を送信したのち当該送信元端末に残された電子価値情報を一時的に無効化する無効化手段と、
上記電子価値情報の受信確認を受信したとき無効化した電子価値情報及び上記電子価値情報に関連する全ての情報を削除する価値情報削除手段と、
上記電子価値情報の削除後に上記送信先端末において上記電子価値情報を有効化するための有効化情報を生成し送信する情報有効化制御手段と
を備え、
電子価値情報の送信先となる送信先端末は、
上記送信元端末との間で上記認証情報を用いて上記送信元端末を認証する送信元端末認証手段と、
上記送信元端末から送信される暗号化された電子価値情報を受信する及び上記送信元端末に対して該電子価値情報を受信した受信確認を送信する送受信手段と、
上記暗号化された電子価値情報を上記認証情報を使用して暗号復号化する価値情報暗号復号化手段と、
上記有効化情報に基づいて上記暗号復号化した電子価値情報を有効化する価値情報有効化手段とを備える
ことを特徴とする電子価値情報伝送システム。
【請求項１４】
上記送信先端末認証手段において送信先が認証されると上記認証情報を使用して上記電子価値情報を暗号化する価値情報暗号化手段を備え、
上記送受信手段は、上記価値情報暗号化手段において暗号化された上記電子価値情報を上記送信先端末に送信することを特徴とする請求項１３記載の電子価値情報伝送システム。
【請求項１５】
上記価値情報削除手段は、上記送信元端末に残された移動前の電子価値情報と該電子価値情報に関連する全ての情報とを削除することを特徴とする請求項１３記載の電子価値情報伝送システム。
【請求項１６】
端末間において電子価値情報を移動する電子価値情報伝送システムにおいて、
電子価値情報の送信元となる送信元端末は、
上記電子価値情報の送信先である送信先端末との間で共通な認証情報を用いて相互に認証する送信先端末認証手段と、
上記送信先端末認証手段において送信先が認証されると上記電子価値情報を電子価値情報としての意味をもたない送信単位に分割する価値情報分割手段と、
上記価値情報分割手段において分割された電子価値情報を上記送信先端末に送信する及び上記分割された電子価値情報に対する受信確認を受信する送受信手段と、
上記電子価値情報の受信確認を受信したとき端末内に残された上記送信単位を削除する価値情報削除手段とを備え、
電子価値情報の送信先となる送信先端末は、
上記送信元端末との間で上記認証情報を用いて上記送信元端末を認証する送信元端末認証手段と、
上記送信元端末から送信される分割された電子価値情報を受信する及び上記送信元端末に対して該電子価値情報を受信した受信確認を送信する送受信手段とを備え、
上記送信元端末が上記受信確認を受信したとき上記送信単位に続く次の送信単位を送信し、上記送信先端末が該次の送信単位を受信したとき上記送信元端末に残された該次の送信単位を削除し、上記電子価値情報の送信単位が完全に移動されると上記電子価値情報が再構成されることを特徴とする電子価値情報伝送システム。
【請求項１７】
端末間において電子価値情報を移動する電子価値情報伝送システムにおいて、
電子価値情報の送信元となる送信元端末は、
上記電子価値情報の送信先である送信先端末との間で共通な認証情報を用いて相互に認証する送信先端末認証手段と、
乱数を発生させる乱数発生手段と、
上記送信先端末認証手段において送信先が認証されると上記乱数発生手段で発生した乱数を使用して上記電子価値情報を暗号化する価値情報暗号化手段と、
上記価値情報暗号化手段において暗号化された電子価値情報を上記送信先端末に送信する及び上記暗号化された電子価値情報に対する受信確認を受信する送受信手段と、
上記送信先端末から受信確認を受信したとき上記送信元端末に残された電子価値情報を一時的に無効化或いは削除する無効化手段と、
上記無効化手段において上記送信元端末に残された電子価値情報の無効化が完了した後に上記送信先端末に上記乱数を送信する乱数送信手段と、
上記送信先端末で電子価値情報が暗号復号化されたとき上記送信元端末に残された無効化された電子価値情報を削除する価値情報削除手段とを備え、
電子価値情報の送信先となる送信先端末は、
上記送信元端末との間で上記認証情報を用いて上記送信元端末を認証する送信元端末認証手段と、
上記送信元端末から送信される暗号化された電子価値情報を受信する及び上記送信元端末に対して該電子価値情報を受信した受信確認を送信する送受信手段と、
上記暗号化された電子価値情報を上記乱数を使用して暗号復号化する価値情報暗号復号化手段とを備え、
上記送信元端末は、上記送信先端末から上記暗号化された電子価値情報を受信完了した受信確認を受信し、電子価値情報を無効化或いは削除した後、上記電子価値情報の暗号化に使用した乱数を上記送信先端末に送信し、上記送信先端末に電子化情報が暗号復号化されることを特徴とする電子価値情報伝送システム。
【発明の詳細な説明】
【技術分野】
【０００１】
本発明は、データを保持するメモリ機能を備え、非接触によりメモリへの読み書きが可能な非接触（又は接触型）ＩＣカード又はこのＩＣカードの機能を備えた電子機器を用いて電子バリューと呼ばれる価値情報を互いに送受する電子価値情報伝送システム及び電子価値情報伝送方法に関する。
【背景技術】
【０００２】
暗証番号やパスワードを用いて、特定のサービスを利用する際の利用者の本人確認、認証処理等を行う方式は一般的である。例えば、使用者が銀行等の金融機関でキャッシュカードやクレジットカードを使用する際、キャッシュディスペンサ等の金融端末上で暗証番号やパスワードの入力を促し、使用者から正しい暗証番号やパスワードが入力されたことが確認されると振込、出入金等の金融手続が行えるようになっている。
【０００３】
キャッシュカード上に配設された磁気ストライプ等の記憶媒体は、記憶容量が小さく、その銀行に対してのみ使用可能な程度の記憶領域しか設けられていない。また、上述した暗証番号又はパスワード等の個人情報は、磁気ストライプ等の記憶媒体を読み出すことができればアクセスできるため、偽造や盗用に対する保護が充分とは言い難かった。
【０００４】
そのため近年では、偽造防止等の観点からキャッシュカードやクレジットカードに設けられた磁気ストライプよりも多くの情報を書き込めるＩＣチップが埋め込まれたカード（以下、ＩＣカードという。）が登場している。ＩＣカードには、電気的な接点をもった接触式のＩＣカードや無線データを介して非接触によりデータの読み書きを行えるようにしたＩＣカードがある。
【０００５】
非接触ＩＣカードの場合、ＩＣカードに対して情報の読み書きを行うＩＣカードリーダ／ライタは、利用者がかざしたＩＣカードとの間で電磁誘導結合によって非接触でアクセスすることができる。例えば、このようなＩＣカードリーダ／ライタは、店舗、キャッシュディスペンサ、コンサート会場の出入口、駅の改札口等に設置されている。
【０００６】
このようなＩＣカードでは、利用者が暗証番号をＩＣカードリーダ側に入力して、入力された暗証番号をＩＣカード上に格納された暗証番号と照合することで、ＩＣカードとＩＣカードリーダ／ライタとの間で本人確認又は認証処理が行われる。本人確認又は認証処理に成功した場合には、例えば、ＩＣカード内に保存されているアプリケーションの利用が可能になる。ＩＣカードが保持するアプリケーションとしては、例えば、電子マネー、電子チケット、前払式証票等の、いわゆる電子バリューと呼ばれる価値情報があげられる。
【０００７】
近年では、パーソナルコンピュータ、ＰＤＡ（Personal Digital Assistants）、携帯型電話機等の情報処理端末に接続可能なＩＣカードリーダ／ライタ、或いは機体にＩＣチップが埋め込まれた電子機器も提供されつつある。このようにＩＣカードリーダ／ライタを接続可能な情報処理端末、若しくは接触又は非接触通信可能なＩＣチップを内臓した情報処理端末は、ＩＣカード（ＩＣチップ）を利用した様々なアプリケーションサービスを実行できる。例えば、情報処理端末上のキーボード等の入力部やディスプレイ等のユーザインタフェイスを用いて、ＩＣカードに対するユーザインタラクションを情報処理端末上で行うことができる。また、ＩＣカードが携帯電話機と接続されていれば、ＩＣカード上に記憶されている情報の交換を電話通信網を介して行うこともできる。
【０００８】
例えば、ＩＣカード上に記憶された電子マネー、電子チケット、前払式証票等に対する電子決済、プリペイドカード様式による決済等の電子バリューの処理、このほか様々なサービスをユーザが所有する情報処理端末から実行することができる。
【０００９】
しかし、電子バリューを格納できるＩＣチップが内蔵された情報処理端末等の電子機器は、故障、高性能機種への買い換え等により機種変更されることがある。この場合、ＩＣチップに記憶された情報内容はそのままに変更後の新たな機器のＩＣチップに以前の情報内容（電子バリュー）を過不足なく移動させる必要があり、この操作中に他の端末に電子バリュー及び個人情報が漏洩したり、他の端末内に残ってしまってはならない。
【００１０】
また、ＩＣチップ内の価値情報を移動する場合、移動処理途中での通信障害やマシン障害等によって電子バリューが消失したり、電子バリューが不当に複製されたり改竄されたりする虞れがあった。
【００１１】
例えば、ＩＣチップを内蔵した情報処理端末が携帯型電話機の場合、端末間で電子バリューの送受信が行えたとしても、通信会社は、電子マネー、電子チケット等の電子バリューを提供するサービスプロバイダと同一でないことが多く、電子バリューにアクセスするのに必要な鍵情報やロジックをもたないため、電子バリューを処理するには不都合な点が多い。また、端末間での電子バリューの移動を請け負うと、電子バリューサービスを提供する通信会社には、電子バリュー、鍵情報についての責任が発生する。また、電子バリューを提供しているサービスプロバイダにとっては、サービスの根幹となる鍵情報やロジックを通信会社に公開することになって好ましくない。
【００１２】
そこで、移動の対象となる価値情報自体と、この価値情報にアクセスするための鍵とそのロジックとを安全に保持する価値情報サービス装置と、移動元の情報記録媒体に格納された価値情報の価値情報サービス装置へのアップロード並びに価値情報サービス装置から移動先の情報記録媒体への価値情報のダウンロードを中継する価値情報移動サービス装置を備えるようにしたことによって、ＩＣカードやＩＣチップ内に保持されている電子マネー及び電子チケット等の電子バリューをセキュアに移動させる技術が公開されている（例えば、特許文献１参照。）。
【００１３】
【特許文献１】特開２００３−１４１４２９号公報
【発明の開示】
【発明が解決しようとする課題】
【００１４】
ところで、価値情報を格納したＩＣチップが携帯電話機等の電子機器に内蔵されているとき何らかの理由によって機器の機種を変更する場合、ＩＣチップに格納された価値情報及び個人情報等を電子機器間、すなわちＩＣチップ間で移動させる必要がある。ユーザの個人情報や電子マネー及び電子チケット等の電子バリューは、機器間若しくは電子バリューサービスを提供するホストとこれに接続される端末との間で高い秘匿性のもとで過不足なく移動されなくてはならない。
【００１５】
ＩＣチップ内蔵のカード又は電子機器において、電子マネー等の電子バリューを送り手から受け手に移動させる場合、単純に送り手の電子バリューを相手に複製するのでは、複数の受け手に電子バリューの複製、改竄等を許す危険性がある。また、通信時に不具合が生じれば、電子バリュー自体が消滅してしまう虞れもあった。
【００１６】
上述した特許文献１に記載の技術では、電子バリューサービスを受ける端末において、移動の対象となる価値情報自体と価値情報にアクセスするための鍵とそのロジックとを安全に保持できるようにした上で、更に移動元の情報記録媒体に格納された価値情報の価値情報サービス装置へのアップロード並びに価値情報サービス装置から移動先の情報記録媒体への価値情報のダウンロードを中継する装置を設けたデータ転送システムとしているが、価値情報が第３の装置を経由する点で、上述した問題点がやはり残される。
【００１７】
そこで本発明は、上述した従来の実情に鑑みて提案されたものであり、受け手への電子価値情報の移動を確実に保証することができる電子価値情報伝送方法及び電子価値情報伝送システムを提供することを目的とする。
【課題を解決するための手段】
【００１８】
本発明に係る電子価値情報伝送方法は、電子価値情報を端末間にて移動させる電子価値情報伝送方法において、電子価値情報の送信元である送信元端末と送信先である送信先端末との間で共通の認証情報を用いて相互に認証する認証工程と、認証により得られた共有情報を送信元端末と送信先端末とで共有する認証共有工程と、送信元端末から認証された送信先端末に送信する電子価値情報を含むデータを暗号化する暗号化工程と、記認証工程において送信元端末及び送信先端末が互いに認識されたとき暗号化工程において暗号化した電子価値情報を送信先端末に送信する価値情報移動工程と、送信元端末に残された電子価値情報を一時的に無効化する無効化工程と、電子価値情報を送信先端末で受信完了したとき送信元端末に対して受信確認を返信する受信確認送出工程と、送信元端末で受信確認を受信したとき送信元端末に残された無効化された電子価値情報を削除する価値情報削除工程と、電子価値情報の削除後に送信先端末に対して電子価値情報を有効化するための有効化情報を送信する有効化情報送信工程と、送信先端末において有効化情報を受信し電子価値情報を有効化する価値情報有効化工程とを有することにより、上述した目的を達成する。
【００１９】
ここで、暗号化工程において、認証共有工程で共有された共有情報を用いて送信元端末と送信先端末との間で送受するデータを全て暗号化し、価値情報削除工程では、送信元端末に残された移動前の電子価値情報と該電子価値情報に関連する全ての情報とを削除することで電子価値情報の保護効果が高まる。
【００２０】
また、本発明に係る電子価値情報伝送方法では、認証情報を使用して電子価値情報を暗号化する価値情報暗号化工程を設けて、価値情報移動工程において価値情報暗号化工程で暗号化された電子価値情報を送信先端末に送信するとよい。
【００２１】
また、電子価値情報を移動する端末間で予め決められた共通鍵を認証情報として認証工程で送受されるデータを全てこの共通鍵で暗号化し、更に認証工程では、予め決められた公開鍵と送信元端末と送信先端末の端末毎に用意された固有情報とによって送信元端末と送信先端末とを互いに認証した後、送信元端末においてセッション鍵を生成する。そして、生成されたセッション鍵を認証情報として以降の通信を行う。
【００２２】
また、本発明に係る電子価値情報伝送方法では、価値情報削除工程において送信元端末に残された無効化された電子価値情報及び電子価値情報に関連する全ての情報を削除した後、有効化情報送信工程において、電子価値情報を有効にする有効化情報を送信先端末に送信する。
【００２３】
また、本発明に係る電子価値情報伝送方法は、寸断に対応するため、送信元端末と送信先端末との間の通信寸断を判断する寸断判断工程を有し、送信元端末と送信先端末には端末に固有の情報が用意されており、認証工程、価値情報移動工程及び受信確認送出工程では何れの処理段階にあるかを示すカウンタと固有情報を互いに送受するとともに、認証工程、価値情報移動工程及び受信確認送出工程が完了したことを示す完了通知を送受し、寸断判断工程では、認証工程、価値情報移動工程及び受信確認送出工程のうち一方の端末において完了通知が受信できないとき端末間通信が寸断されたと判断して固有情報を有する端末との間で完了通知が受け取れなかったカウンタで示される工程を繰り返す。
【００２４】
また、上述した目的を達成するために、本発明に係る電子価値情報伝送方法は、電子価値情報を端末間にて移動させる電子価値情報伝送方法において、電子価値情報の送信元である送信元端末と送信先である送信先端末との間で共通な認証情報を用いて相互に認証する認証工程と、認証により得られた共有情報を送信元端末と送信先端末とで共有する認証共有工程と、電子価値情報を電子価値情報としての意味をもたない送信単位に分割する価値情報分割工程と、認証工程において端末が互いに認識されると価値情報分割工程において生成された一送信単位を送信先端末に送信する価値情報移動工程と、送信単位を送信先端末で受信したとき送信元端末に対して受信確認を返信する受信確認送出工程と、受信確認を送信元端末で受信したとき送信元端末に残された一送信単位を削除する単位情報削除工程とを有し、受信確認を送信元端末で受信したとき一送信単位に続く次の送信単位を送信し、該次の送信単位を送信先端末で受信したとき送信元端末に残された該次の送信単位を削除し、電子価値情報の送信単位が完全に移動されると電子価値情報が再構成されるようにする。
【００２５】
これにより、電子価値情報を送信元端末から送信先端末に確実に移動し、電子価値情報の不正な複製、電子価値情報の消滅を防ぐ。
【００２６】
このとき、価値情報分割工程において分割された送信単位を送信先端末に順に送る価値情報移動工程、上記受信確認送出工程、及び単位情報削除工程では、送信元端末と送信先端末との間の通信寸断を判断する寸断判断工程を有し、送信元端末と送信先端末には端末に固有の情報が用意されており、価値情報移動工程、受信確認送出工程では送信単位を区別するカウンタと端末の固有情報を互いに送受するとともに送信先端末では各送信単位の受信が完了したことを示す完了通知を送信元端末に対して送信する。寸断判断工程は、価値情報移動工程、受信確認送出工程において送信元端末で完了通知が受信できないとき、端末間通信が寸断されたと判断して固有情報を有する端末との間で完了通知が受け取れなかったカウンタで示される送信単位を移動する工程を繰り返す。
【００２７】
また、上述した目的を達成するために、本発明に係る電子価値情報伝送方法は、電子価値情報を端末間にて移動させる電子価値情報伝送方法において、電子価値情報の送信元である送信元端末と送信先である送信先端末との間で共通な認証情報を用いて相互に認証する認証工程と、認証により得られた共有情報を送信元端末と送信先端末とで共有する認証共有工程と、乱数を発生させる乱数発生工程と、認証工程において端末が互いに認識された場合、乱数発生工程において発生した乱数を使用して電子価値情報を暗号化する価値情報暗号化工程と、送信元端末から認証された送信先端末に送信する電子価値情報を含むデータを暗号化する暗号化工程と、認証工程において送信元端末及び送信先端末が互いに認識されたとき暗号化工程において暗号化した電子価値情報を送信先端末に送信する価値情報移動工程と、送信元端末に残された電子価値情報を一時的に無効化或いは削除する無効化工程と、電子価値情報を送信先端末で受信完了したとき送信元端末に対して受信確認を返信する受信確認送出工程と、無効化工程において送信元端末に残された電子価値情報の無効化が完了した後に送信先端末に乱数を送信する乱数送信工程と、暗号化された電子価値情報を乱数を使用して暗号復号化する価値情報暗号復号化工程と、送信先端末で電子価値情報が暗号復号化されたとき送信元端末に残された無効化された電子価値情報を削除する価値情報削除工程とを有する。
【００２８】
これにより、電子価値情報を送信元端末から送信先端末に確実に移動し、電子価値情報の不正な複製、電子価値情報の消滅を防ぐ。
【００２９】
更にまた、上述した目的を達成するために、本発明に係る電子価値情報伝送システムは、電子価値情報の送信先である送信先端末との間で共通な認証情報を用いて相互に認証する送信先端末認証手段と、送信先端末認証手段において送信先が認証されると、電子価値情報を送信先端末に送信する及び暗号化された電子価値情報に対する受信確認を受信する送受信手段と、電子価値情報を送信したのち当該送信元端末に残された電子価値情報を一時的に無効化する無効化手段と、電子価値情報の受信確認を受信したとき無効化した電子価値情報及び電子価値情報に関連する全ての情報を削除する価値情報削除手段と、電子価値情報の削除後に送信先端末において電子価値情報を有効化するための有効化情報を生成し送信する情報有効化制御手段とを備える送信元端末を有する。
【００３０】
また、送信元端末との間で上記認証情報を用いて上記送信元端末を認証する送信元端末認証手段と、上記送信元端末から送信される暗号化された電子価値情報を受信する及び上記送信元端末に対して該電子価値情報を受信した受信確認を送信する送受信手段と、暗号化された電子価値情報を認証情報を使用して暗号復号化する価値情報暗号復号化手段と、上記有効化情報に基づいて上記暗号復号化した電子価値情報を有効化する価値情報有効化手段とを備える送信先端末との間で電子価値情報を移動する電子価値情報伝送システムである。
【００３１】
これにより、電子価値情報を送信元端末から送信先端末に確実に移動し、電子価値情報の不正な複製、電子価値情報の消滅を防ぐ。
【００３２】
また、上述した目的を達成するために、本発明に係る電子価値情報伝送システムは、電子価値情報の送信先である送信先端末との間で共通な認証情報を用いて相互に認証する送信先端末認証手段と、送信先端末認証手段において送信先が認証されると電子価値情報を電子価値情報としての意味をもたない送信単位に分割する価値情報分割手段と、価値情報分割手段において分割された電子価値情報を送信先端末に送信する及び分割された電子価値情報に対する受信確認を受信する送受信手段と、電子価値情報の受信確認を受信したとき端末内に残された送信単位を削除する価値情報削除手段とを備える送信元端末を有する。
【００３３】
また、送信元端末との間で上記認証情報を用いて上記送信元端末を認証する送信元端末認証手段と、上記送信元端末から送信される分割された電子価値情報を受信する及び上記送信元端末に対して該電子価値情報を受信した受信確認を送信する送受信手段とを備える送信先端末を有する電子価値情報伝送システムである。
【００３４】
そして、送信元端末が受信確認を受信したとき送信単位に続く次の送信単位を送信し、送信先端末が該次の送信単位を受信したとき送信元端末に残された該次の送信単位を削除し、電子価値情報の送信単位が完全に移動されると電子価値情報が再構成する。これにより、電子価値情報を送信元端末から送信先端末に確実に移動し、電子価値情報の不正な複製、電子価値情報の消滅を防ぐ。
【００３５】
更に上述した目的を達成するために、本発明に係る電子価値情報伝送システムは、電子価値情報の送信先である送信先端末との間で共通な認証情報を用いて相互に認証する送信先端末認証手段と、乱数を発生させる乱数発生手段と、送信先端末認証手段において送信先が認証されると乱数発生手段で発生した乱数を使用して電子価値情報を暗号化する価値情報暗号化手段と、価値情報暗号化手段において暗号化された電子価値情報を送信先端末に送信する及び暗号化された電子価値情報に対する受信確認を受信する送受信手段と、送信先端末から受信確認を受信したとき送信元端末に残された電子価値情報を一時的に無効化或いは削除する無効化手段と、無効化手段において送信元端末に残された電子価値情報の無効化が完了した後に送信先端末に乱数を送信する乱数送信手段と、送信先端末で電子価値情報が暗号復号化されたとき送信元端末に残された無効化された電子価値情報を削除する価値情報削除手段とを備える送信元端末を有する。
【００３６】
また、電子価値情報の送信先となる送信先端末は、送信元端末との間で認証情報を用いて上記送信元端末を認証する送信元端末認証手段と、送信元端末から送信される暗号化された電子価値情報を受信する及び送信元端末に対して該電子価値情報を受信した受信確認を送信する送受信手段と、暗号化された電子価値情報を乱数を使用して暗号復号化する価値情報暗号復号化手段とを備える。
【００３７】
そして、送信元端末は、送信先端末から暗号化された電子価値情報を受信完了した受信確認を受信し、電子価値情報を無効化或いは削除した後、電子価値情報の暗号化に使用した乱数を送信先端末に送信し、送信先端末に電子化情報が暗号復号化される。これにより、電子価値情報を送信元端末から送信先端末に確実に移動し、電子価値情報の不正な複製、電子価値情報の消滅を防ぐ。
【発明の効果】
【００３８】
本発明に係る電子価値情報伝送方法及び電子価値情報伝送システムによれば、電子価値情報としての電子バリューを送り手から受け手に移動させる場合、送り手の電子価値情報を受け手に単純に複製し、その後消去するのではなく、相互認証により受け手と送り手とを特定することと、電子価値情報が送り手へ確実に移動したことを確認した後に消去することとを組み合わせることにより、電子価値情報を送り手から受け手へ確実に移動することができる。これにより、複数の受け手に電子価値情報を不正に複製されたり、通信上の不具合等によって電子価値情報が消滅したりする問題が解消される。
【発明を実施するための最良の形態】
【００３９】
本発明に係る電子価値情報伝送方法は、電子マネー、電子チケット等の電子価値情報（以下、電子バリューと記す。）が記録可能なＩＣカード、或いは電子バリューが記録可能なＩＣチップを備えた電子機器間において、電子バリューを移動させる場合、単純に送り手の電子バリューの複製と消去とを行うのでなく、相互認証により受け手と送り手とを特定するとともに電子バリューが送り手へ確実に移動したことを確認した後に消去することで、電子バリューの不正コピー、通信時の誤消失等の問題を解消したものである。
【００４０】
以下、本発明の具体例として示す電子バリュー伝送方法について、図面を用いて詳細に説明する。
【００４１】
この電子バリュー伝送方法は、電子バリューを記録可能なＩＣチップを備えた電子機器間で電子バリューの送受を行うときの電子バリュー伝送方法である。本発明の具体例として示す電子バリュー伝送方法に適用可能な電子機器としては、携帯型電話機、ＰＤＡ（Personal Digital Assistants）等の携帯型情報処理端末があげられる。この電子バリューの伝送は、各種の電子バリューを提供する電子バリューサービス提供者の端末と利用者端末との間の伝送であってもよいし、利用者が所有する電子バリューを記録可能な電子機器間での伝送であってもよい。また、電子バリューの受け手側は、電子バリューを記録可能なＩＣチップを備えた、いわゆるＩＣカードであってもよい。この電子バリュー伝送方法を適用した電子バリュー伝送システムの具体例は後述する。
【００４２】
本発明の具体例として示す電子バリュー伝送方法では、電子バリューの送信元となる端末（以下、送り手と記す。）と送信先となる端末（以下、受け手と記す。）との間で、以下に示す特徴を備えている。その特徴とは、送り手において、（１）送り手から送られる電子バリューは、特定の受け手以外では利用できないこと。（２）送り出した電子バリューが受け手で使用可能になったとき、送り手側では、その電子バリューが使用できなくなること。（３）電子バリューを受け渡した後、電子バリューの伝送処理によって生成された電子バリューが無効化されていることである。電子バリューに関連した情報が送り手に一切残されないことが望ましいからである。
【００４３】
また、他の特徴は、受け手において、（４）正規の送り手から正規の電子バリューを送られることが保証されること。（５）通信上の障害等により電子バリューを受け取る処理が断たれても再度受け取ること処理が行われること。（６）電子バリューを受け取った後、電子バリューの伝送処理によって生成される等した電子バリューに関連した情報が受け手に一切残されないことである。
【００４４】
本発明の具体例として示す電子バリュー伝送方法における処理の流れについて、図１を用いて説明する。本具体例で示される送り手から受け手への電子バリューの移動は、以下の手順で行われる。まず、電子バリューの送信元である送り手と送信先である受け手との間で相互認証する処理が行われる。本具体例では、この相互認証処理をフェーズ１という。フェーズ１における認証処理で送り手と受け手とが互いに認識された場合、実際に電子バリューを移動する。電子バリューを移動する際には、まず送り手と受け手との間で傍受、妨害、盗用等に対して秘匿性が高く、安全性の高い（セキュア：secure）送受信路を構成し、電子バリューを移動する。この処理をフェーズ２とする。そして、フェーズ２により電子バリューの移動が完了すると、受け手において電子バリューに関連する不要な情報を消去し、送り手に消去が完了した旨を通知する。送り手は、この通知によって、移動前の電子バリュー及びこの電子バリューの移動処理に関連する全情報を削除する。本具体例では、電子バリューを移動した後に送り手及び受け手において不要な情報を全て消去する処理をフェーズ３という。
【００４５】
以下、各フェーズの実現方法について説明する。
【００４６】
フェーズ１の相互認証処理では、送り手と受け手に共通な認証情報としての共通鍵Ｋ１によって、機器の固有情報（Ｉｄ１、Ｉｄ２）、若しくは通信のために必要なデータが相互に暗号化される。
【００４７】
送り手と受け手は、それぞれ、予め決められた共通鍵Ｋ１を認証情報として保有している。図２に示すように、送り手と受け手は、相互に通信が可能な相手か否かを、共通鍵Ｋ１を保有しているか否かで確認する。共通鍵Ｋ１が確認できたとき、以降の通信では、データを全て共通鍵Ｋ１によって暗号化する。或いは暗号復号化する。
【００４８】
また、フェーズ１における相互認証の別の例として、送り手及び受け手は、予め決められた認証情報としての公開鍵と、送り手及び受け手毎に用意された機器に固有情報とを用いて相互に認証した後、例えば、送り手側でセッション鍵を生成する。以降の送り手と受け手との間の通信では、生成されたセッション鍵を相互の共有情報として使用する。すなわち、図３に示すように、例えばＩｄ１をもつ送り手とＩｄ２をもつ受け手とＩｄｎをもった受け手は、相互認証のための公開鍵Ｋ２を共有する。このとき、各端末は、個々のＩＤと共有している公開鍵Ｋ２とで相互認証ができる。認証によって相互に通信が可能であると認識された送り手と受け手の端末は、フェーズ２に移行する。
【００４９】
続いて、相互認証された送り手と受け手の間で秘匿性の高い送受信路を構成し、電子バリューを移動するフェーズ２の処理の具体例について図２〜図４を用いて説明する。フェーズ２では、送り手が受け手に電子バリューを移動する前に、まず送り手と受け手との間のセキュアな送受信路が構成される。
【００５０】
図２には、送り手と受け手とが予め決められた共通鍵Ｋ１を認証情報として共有している場合が示されている。送り手と受け手は、相互に通信が可能な相手か否かを共通鍵Ｋ１を保有しているか否かで確認し、相手端末が共通鍵Ｋ１を保有していることを確認できたとき、送り手は、以降の通信で使用するデータを全て共通鍵Ｋ１で暗号化する。或いは、受け手は共通鍵Ｋ１で暗号復号化する。
【００５１】
ステップＳ１として、送り手は、共通鍵Ｋ１でデータを暗号化し受け手に送る。受け手は、ステップＳ２において、送られたデータを受け手のもつ共通鍵Ｋ１で暗号復号化し、暗号復号化できたときに送り手を認識する。受け手は、ステップＳ３として、認証できたことを示す確認（ＡＣＫ）を共通鍵Ｋ１で暗号化して送り手に送る。ステップＳ４として送り手は、送られたデータが共通鍵Ｋ１で暗号復号化できたとき、受け手からのＡＣＫを確認する。このように、送り手と受け手との間でセキュアな通信が確立される。
【００５２】
次に、例えば、送り手と受け手が互いのＩＤと公開鍵Ｋ２とで相互に認証して通信する場合について説明する。
【００５３】
認証によって相互に通信が可能であると認識された送り手と受け手の端末は、図３に示すフェーズ２に移行する。
【００５４】
ステップＳ１１として、送り手は、公開鍵Ｋ２を認証情報として互いに所有していることを確認する。相互認証できたとき、送り手は、ステップＳ１２において、以降の通信で共有する共有情報としてのセッション鍵Ｋ３とＩＤｔを受け手に発行する。セッション鍵Ｋ３とＩＤｔは、送り手と受け手との間で共有される情報であるが、通信の度に異なる値にすることができる。
【００５５】
続くステップＳ１３において、送り手は、セッション鍵Ｋ３によってデータを暗号化し受け手に送る。受け手は、ステップＳ１４において、送り手から送られた暗号化されたデータをセッション鍵Ｋ３で暗号復号化する。受け手は、ステップＳ１５において、通信できたことを示す受信確認（ＡＣＫ）をセッション鍵Ｋ３で暗号化して送り手に送る。送り手は、セッション鍵Ｋ３で暗号化されたデータを受け取ると、ステップＳ１６において、セッション鍵Ｋ３で暗号復号化し、受け手からのＡＣＫを確認する。これにより、フェーズ２が完了する。
【００５６】
フェーズ２において、送り手が受け手へ電子バリューを移動させる実例について、以下に説明する。
【００５７】
上述したフェーズ１における相互認証処理によって、送り手と受け手とが互いに認識されると、送り手は、フェーズ２に移行して、実際に電子バリューを移動する。
【００５８】
送り手は、ステップＳ２１において、互いに共有している共通鍵Ｋｔを使用して電子バリューＶを暗号化し、暗号化されて得られた電子バリューＶ’を受け手に送信する。受け手は、ステップＳ２２において、電子バリューＶ’を受信し、受信完了したとき、共通鍵Ｋｔを使用して受信完了を示す受信確認（ＡＣＫ）を暗号化し、ステップＳ２３で送り手に送信する。
【００５９】
受け手は、受信した電子バリューＶ’を共通鍵Ｋｔを使用して暗号復号化する。このとき、送り手にも電子バリューＶ’が存在するため、本具体例では、暗号復号化した電子バリューＶがそのままでは使用できないようになっている。すなわち、受け手では電子バリューＶを有効化するための許可が必要になる。
【００６０】
ステップＳ２４において、送り手は、受け手で共通鍵Ｋｔを用いて暗号化されたＡＣＫを受け取り、ＡＣＫを共通鍵Ｋｔで暗号復号化する。暗号化されたデータが受け手からの電子バリューの受信確認であった場合、送り手は、自身に残されている電子バリューＶ、暗号化した電子バリューＶ’、電子バリューの送信に関連する情報等を全て削除する。
【００６１】
また、送り手は、削除処理の後、ステップＳ２５において、受け手に送った電子バリューを有効にするための有効化情報を送信する。このとき、有効化情報を共通鍵Ｋｔで暗号化してもよい。受け手は、ステップＳ２６において、送り手からの有効化情報を受け取って初めて電子バリューが利用可能な状態になる。
【００６２】
このように、電子バリューが一時的に送り手と受け手の両者に存在しても、送り手の電子バリューが削除されなくては受け手側で使用できないようにすることで、電子バリューの不正な複製、改竄等の危険性を回避することができる。
【００６３】
図４に示す処理では、フェーズ２として図２に示す認証処理が行われるようにした場合、共通鍵Ｋｔとして共通鍵Ｋ１を使用することができ、フェーズ２として図３に示す認証処理が行われるようにした場合、共通鍵Ｋｔとしてセッション鍵Ｋ３を使用できる。
【００６４】
また、上述した移動処理において、受け手がステップＳ２２などで電子バリュー等のデータを所定期間を過ぎても受け取ることができない場合には、通信が完了していないフェーズを繰り返す処理を実行する。例えば、各フェーズにおける送り手と受け手との間の通信において、各端末は、どのフェーズの処理を実行しているかを示すカウンタと通信相手になっている機器のＩＤとを通信データに付加する。そして、フェーズを表すカウンタに対応する完了通知を互いに送受する。これにより、フェーズ１、フェーズ２、フェーズ３において、何れか一方の端末が完了通知を受信できないときには、端末は、通信が寸断されたと判断し、完了通知が受け取れなかったカウンタで示されるフェーズを繰り返す。
【００６５】
次に、フェーズ２の電子バリューの移動処理と削除処理の別の実施例について図５を用いて説明する。図５を用いて説明する電子バリューの移動及び削除処理では、送り手が電子バリューを分割し、分割して生成された送信単位毎に受け手に送信することが特徴である。
【００６６】
図５に示す実施例では、フェーズ２において図２に示す認証処理が、若しくは図３に示す認証処理が行われた後、送り手が、まずステップＳ３１として、電子バリューを電子バリューとしての意味をもたない送信単位ｖ１，ｖ２，・・・，ｖｎに分割する。送り手は、ステップＳ３２として、送信単位ｖ１を受け手に送る。受け手はｖ１を受信すると、ステップＳ３３としてｖ１に対する受信確認を返信する。
【００６７】
送り手が受け手からの受信確認を受信すると、ステップＳ３４として、送信単位ｖ１を消去する。続いてステップＳ３５として、送信単位ｖ２を受け手に送る。受け手は、ｖ２を受信すると、ステップＳ３６としてｖ２に対する受信確認を返信する。送り手は、ｖ２に対する受信確認を受信すると、ステップＳ３７として、送信単位ｖ２を消去する。
【００６８】
このように図５に示す実施例では、送り手が電子バリューの送信単位に対する受信確認を受信したとき、この送信単位に続く次の送信単位を送信するとともに送信済みの送信単位を削除する工程を繰り返し行う。そして、ステップＳ３８において、分割された電子バリューの全送信単位が受け手に完全に移動されると、受け手は、電子バリューを再構成する。再構成された電子バリューは、受け手で使用可能となる。また、送り手は、受け手から電子バリューが再構成されたときの受信確認によって、送り手にある送信単位を全て無効にする。したがって、電子バリューＶが受け手のみに存在することになる。
【００６９】
上述したステップＳ３２以降の工程では、例えば、受け手が所定期間が過ぎても送信単位を受け取れない場合には、送り手は、受信確認を受けていない送信単位を再度送信する処理を実行する。そこで例えば、事前にｖｎの数等を通信しておき、各送信単位を送る際の送り手と受け手との間の通信において、どの送信単位を移動する工程かを示すカウンタと通信相手になっている機器のＩＤを付ける。そして、受け手は、送信単位を表すカウンタに対応する受信確認を送り手に送信する。送信単位を送信してから所定期間を過ぎても受信確認が得られない場合には、受信確認が受け取れなかったカウンタで示される送信単位の送信を繰り返す。
【００７０】
また、ステップＳ３２に代表される送信単位を受け手に送信する工程、或いはステップＳ３３における受信確認を返信する工程では、フェーズ１において図２に示す認証処理若しくは図３に示す認証処理において使用された共通鍵Ｋ１又はセクション鍵Ｋ３を用いて送信単位及び受信確認を暗号化して送受信してもよい。
【００７１】
このように、図５に示す実施例では、電子バリューを分割して送信することにより電子バリューが送り手と受け手の両者に存在することがなく、電子バリューの不正な複製、改竄等の危険性を回避することができる。また、通信時の誤消失等を防ぐことができる。
【００７２】
次に、フェーズ２の電子バリューの移動処理と削除処理の更に別の実施例について図６を用いて説明する。図６を用いて説明する電子バリューの移動及び削除処理では、送り手で乱数を発生させてこの乱数によって電子バリューを暗号化し、暗号復号化に必要になる乱数を電子バリューの送信タイミングとは別のタイミングで受け手に送ることを特徴としている。
【００７３】
図６に示す実施例では、フェーズ１において図２に示す認証処理若しくは図３に示す認証処理が行われた後、送り手は、ステップＳ４１において乱数Ｒｎｄを発生させて、この乱数Ｒｎｄによって送り手に送信する電子バリューＶを暗号化してＶ”を生成し、受け手に送信する。ステップＳ４２において、受け手は、乱数Ｒｎｄによって暗号化された電子バリューＶ”を受信すると、送り手に対して受信確認（ＡＣＫ）を返信する。
【００７４】
送り手は、乱数を送出する前に必ず電子バリューＶを無効化する必要がある。そこで、送り手は、ＡＣＫを受け取ると、ステップＳ４３として、電子バリューＶを無効化又は削除する。電子バリューＶを無効化又は削除した後、ステップＳ４４として受け手に対して暗号化に使用した乱数Ｒｎｄを送信する。
【００７５】
受け手は、ステップＳ４５において乱数Ｒｎｄを受け取ると、続くステップＳ４６において、受け取った乱数Ｒｎｄを用いて先に受信した暗号化された電子バリューＶ”を暗号復号化して電子バリューＶを得る。
【００７６】
受け手は、電子バリューＶを得ると、ステップＳ４７において送り手に完了通知を送信する。送り手は、完了通知を受け取ると、ステップＳ４８で乱数Ｒｎｄを消去する。
【００７７】
このように、図６に示す実施例では、乱数を発生した乱数で電子バリューを暗号化して送信し、暗号復号化に必要になる乱数を電子バリューの送信タイミングとは別のタイミングで受け手に送ることにより、使用可能な状態の電子バリューが送り手と受け手の両者に存在することがなく、電子バリューの不正な複製、改竄等の危険性を回避することができる。
【００７８】
以下、本発明の具体例として示す電子バリュー伝送方法及び電子バリュー伝送方法を適用した電子バリュー伝送システム１について、図７乃至図９を用いて詳細に説明する。
【００７９】
図７乃至図９に示す電子バリュー伝送システムは、電子マネー、電子チケット等の電子バリューが記録可能なＩＣカード、或いは電子バリューが記録可能なＩＣチップを備えた電子機器と、このＩＣチップに対する読取／書込を行えるリード／ライト部を備える電子機器との間で電子バリューを移動できるシステムである。ここで電子機器は、少なくとも一方がリード／ライト部を備え、一方がＩＣチップを備えているものとして説明するが、実際には、互いにリード／ライト部とＩＣチップ部の両方を備えていてもよい。
【００８０】
図７に示す電子バリュー伝送システム１は、上述した図１乃至図４に示した電子バリュー伝送方法を実現できるシステムであり、本具体例では、少なくともリード／ライト部を備えて携帯型電話機１０と、電子バリューを格納できるＩＣチップを備えた携帯型電話機２０とから構成されている。
【００８１】
電子バリュー伝送システム１における携帯型電話機１０は、携帯型電話機としての基本的な動作及び機能のための音声出力部、音声入力部、音声処理部、送受信回路、操作入力部等を備えた通話受話ブロック１１のほかに、電子バリュー等の情報を格納するメモリ１２と、電子バリューの送信先である携帯型電話機２０との間で共通な認証情報である共通鍵Ｋ１を用いて相互に認証する送信先端末認証手段としての認証処理部１３と、認証処理部１３で送信先が認証されると共通鍵Ｋ１を使用して電子バリューを暗号化する価値情報暗号化手段としての暗号化部１４と、暗号化部１４において暗号化された電子バリューを受け手である携帯型電話機２０に送信する、及び暗号化された電子バリューに対する受信確認を受信する送受信手段としてのバリュー送受信部１５と、電子バリューの受信確認を受信したとき移動前の電子バリュー及びこの電子バリューに関連する全ての情報を削除する処理を行うとともに、上述した各構成を統括制御する制御部１６を備えている。制御部１６は、図示しないが、ＣＰＵと、ＣＰＵが電子バリュー伝送処理を実行するためのソフトウェア等を格納するＲＯＭと、ＣＰＵの作業領域としてのＲＡＭ等を備えている。
【００８２】
制御部１６は、フェーズ１、フェーズ２及びフェーズ３の電子バリュー伝送処理を実行する。フェーズ１では、認証処理部１３によって受け手を認証する処理を行う。また、予め決められた公開鍵Ｋ１と送信先となる受け手の端末を認証処理部１３において認証した後、セッション鍵を生成し、生成したセッション鍵を認証情報としてもよい（図３の例）。制御部１６は、フェーズ１における認証処理で送り手と受け手とが互いに認識された場合、図４に示す電子バリューの移動処理（フェーズ２）を実行する。
【００８３】
また、携帯型電話機２０は、携帯型電話機としての基本的な動作及び機能のための音声出力部、音声入力部、音声処理部、送受信回路等を備えた通話受話ブロック２１のほかに、電子バリュー等の情報を格納するメモリ２２と、電子バリューの送信元である携帯型電話機１０との間で共通な認証情報である共通鍵Ｋ１を用いて相互に認証する送信元端末認証手段としての認証処理部２３と、暗号化部１４において暗号化された電子バリューを受け手である携帯型電話機１０から受信する、及び暗号化された電子バリューを受信した受信確認を携帯型電話機１０へ送信する送受信手段としてのバリュー送受信部２４と、暗号化された電子バリューを共通鍵Ｋ１を使用して暗号復号化する暗号復号化部２５と、上述した各構成を統括制御する制御部２６とを備えている。
【００８４】
したがって、図７に示す電子バリュー伝送システム１では、携帯型電話機１０が上述した図１及び図２の伝送方法で説明した送り手に相当し、携帯型電話機２０が受け手に相当する。
【００８５】
続いて、図８に示す電子バリュー伝送システム２は、上述した図５に示した電子バリュー伝送方法を実現できるシステムである。図７と同様、本具体例では、少なくともリード／ライト部を備えて携帯型電話機１０と、電子バリューを格納できるＩＣチップを備えた携帯型電話機２０とから構成されている。電子バリュー伝送システム２では、送り手である携帯型電話機１０が電子バリューを電子バリューとしての意味をもたない送信単位にまで分割する価値情報分割手段としてのバリュー分割部３１を備え、電子バリューを分割し、生成された送信単位毎に受け手に送信することが特徴である。電子バリュー伝送システム２では、制御部１６は、上述した各構成を統括して制御して、フェーズ１において図２に示す認証処理若しくは図３に示す認証処理が行われた後、図５に示す電子バリューの移動処理を実行する。
【００８６】
また、図９に示す電子バリュー伝送システム３は、上述した図６に示した電子バリュー伝送方法を実現できるシステムである。図７と同様、本具体例では、少なくともリード／ライト部を備えて携帯型電話機１０と、電子バリューを格納できるＩＣチップを備えた携帯型電話機２０とから構成されている。電子バリュー伝送システム２では、送り手である携帯型電話機１０が乱数を発生させる乱数発生器３２を備え、発生した乱数によって電子バリューを暗号化し、暗号復号化に必要になる乱数を電子バリューの送信タイミングとは別のタイミングで受け手に送ることが特徴である。電子バリュー伝送システム３では、制御部１６は、上述した各構成を統括して制御して、フェーズ１において図２に示す認証処理若しくは図３に示す認証処理が行われた後、図６に示す電子バリューの移動処理を実行する。
【００８７】
本発明の具体例として図７乃至図９に示す電子バリュー伝送システムでは、携帯型電話機１０，２０は、非接触型のＩＣカード、無線タグ等を用いた、いわゆるＲＦＩＤ（Radio Frequency IDentification)システムに適用しており、ＩＣカード、無線タグのメモリ部に相当する記憶部分及び非接触近接通信用の通信回路を内蔵し、電磁誘導結合によって非接触によりリーダライタ装置との間で少なくともデータの送信を行う非接触通信用の平面型コイルアンテナ（以下では、ループコイルアンテナと記している箇所もある。）を内蔵している。
【００８８】
以下、本発明の実施例におけるバリュー送受信部１５，２４について、図１０を参照して詳細に説明する。ここでは、バリュー送受信部１５が非接触通信用のアンテナを有したＩＣチップであるとし、バリュー送受信部２４がこのＩＣチップから非接触によりデータの書き込み及び読み出しを行うリーダライタとして機能する用に説明するが、携帯型電話機１０，２０が互いに両方の機能を備えていてもよい。
【００８９】
図１０に示すバリュー送受信部２４は、導線が平面状に巻回されたループコイルアンテナが使用面に平行に内蔵されている。バリュー送受信部２４は、例えば、ＩＳＯ７８１０に準拠した電池等の電源をもたないバッテリレスのＩＣカードと同様の通信回路を内蔵している。
【００９０】
バリュー送受信部２４は、基板上に外部の電磁場と結合してデータを送受するループコイルアンテナ回路１０１と、データの書き込み及び読み出しを行うための各種処理を行う電子回路が集積されたＩＣ（Integrated Circuit)１０２とを備えている。
【００９１】
ループコイルアンテナ回路１０１の一例としては、平面状に導線が巻線されループコイルアンテナとしてのループコイル１０３と、コンデンサ１０４とが並列に接続された共振型アンテナ回路等が適用できる。ループコイルアンテナ回路１０１は、後述するリーダライタとしてのバリュー送受信部１５のリーダライタアンテナ回路２０４から放射された電磁場と電磁誘電結合し、結合された電磁場を電気信号に変換し、ＩＣ１０２に供給する。
【００９２】
ＩＣ１０２は、バリュー送受信部１５のアンテナにより生じられた電磁場に誘導されてループコイルアンテナ回路１０１に生じた電気信号を整流平滑する整流手段としての整流回路１０５を備えている。また、整流回路１０５から供給された電気信号を直流電力に変換するレギュレータ１０６と、整流回路１０５から供給された電気信号の高域成分を抽出するＨＰＦ（High Pass-Filter)１０７と、ＨＰＦ１０７から入力された高周波成分の信号を復調する復調回路１０８と、この復調回路１０８から供給されるデータに対応してデータの書き込み及び読み出しを制御するシーケンサ１０９と、ループコイル１０３により送信するデータを変調する変調回路１１０とを有する。復調回路１０８から供給されるデータは、制御部２６に制御されてメモリ２２に格納される。
【００９３】
整流回路１０５は、ダイオード１１１、抵抗１１２及びコンデンサ１１３から構成されている。このうち、ダイオード１１１のアノード端子がループコイル１０３及びコンデンサ１０４の一端に接続され、ダイオード１１１のカソード端子が抵抗１１２及びコンデンサ１１３の一端に接続され、抵抗１１２及びコンデンサ１１３の他端がループコイル１０３及びコンデンサ１０４の他端に接続されている。そして、整流回路１０５は、ループコイル１０３から供給された電気信号を整流平滑した電気信号をレギュレータ１０６及びＨＰＦ１０７に出力している。
【００９４】
レギュレータ１０６は、上述した整流回路１０５のダイオード１１１のカソード端子、抵抗１１２及びコンデンサ１１３の一端と接続されている。そして、このレギュレータ１０６は、整流回路１０５から供給された電気信号の電圧変動（データ成分）を抑制し、安定化した後、直流電力としてシーケンサ１０９に供給する。これにより、シーケンサ１０９等の誤動作の原因となる、例えば、携帯型電話機２０の位置が動くことにより発生する電圧変動、並びに携帯型電話機２０内の消費電力の変化により発生する電圧変動が抑制される。
【００９５】
ＨＰＦ１０７は、コンデンサ１１４及び抵抗１１５により構成されており、上述した整流回路１０５から供給された電気信号の高域成分を抽出し、復調回路１０８に出力する。
【００９６】
復調回路１０８は、上述したＨＰＦ１０７のコンデンサ１１４の他端及び抵抗１１５の一端と接続されており、このＨＰＦ１０７から入力された高周波成分の信号を復調し、シーケンサ１０９に出力する。
【００９７】
シーケンサ１０９は、ＲＯＭ(Read Only Memory)やＲＡＭ（Random Access Memory）を内部に有しており、上述した復調回路１０８と接続されている。そして、このシーケンサ１０９は、復調回路１０８から入力された信号（コマンド）をＲＡＭに記憶させ、ＲＯＭに内蔵されているプログラムにしたがってこれを解析し、解析された結果に基づいて、必要に応じてメモリ２２に格納されているデータを読み出す。或いはメモリ２２に復調回路１０８から供給されるデータを書き込む。また、このシーケンサ１０９は、コマンドに対応するレスポンス信号を生成し、変調回路１１０に供給する。
【００９８】
メモリ２２は、データの保持に電力を必要としないＥＥＰＲＯＭ（Electrically Erasable Programmable Read-Only Memory）等の不揮発性メモリが使用でき、上述したシーケンサ１０９と接続されている。そして、このメモリ２２は、シーケンサ１０９の解析結果に基づいて、復調回路１０８から供給されるデータを記憶する。
【００９９】
変調回路１１０は、インピーダンス１１６とＦＥＴ（Field Effect Transistor)１１７との直列回路から構成されており、このうち、インピーダンス１１６の一端が上述した整流回路１０５のダイオード１１１のカソード端子に接続され、インピーダンス１１６の他端がＦＥＴ１１７のドレイン端子と接続され、ＦＥＴ１１７のソース端子が接地点に接続され、ＦＥＴ１１７のゲート端子がシーケンサ１０９と接続されている。また、この変調回路１１０は、上述した共振回路を構成するループコイル１０３と並列に接続されており、ＦＥＴ１１７をシーケンサ１０９からの信号に対応してスイッチング動作させ、ループコイル１０３に対するインピーダンス１１６の負荷を変動させる、いわゆる付加変調方式を採用している。
【０１００】
一方、リーダライタとしてのバリュー送受信部１５は、データの変調及び復調を行う変調回路２０２及び復調回路２０３と、電磁場と結合してデータを送受信するリーダライタアンテナ回路２０４とを備えており、送受するデータの変復調等は、制御回路２０１によって統括制御されている。復調回路２０３には、大信号が入力された場合にこれを低減するための保護回路が設けられていてもよい。
【０１０１】
制御回路２０１は、図７乃至図９における制御部１６に相当し、例えば、外部からの指令や内蔵するプログラムにしたがって、各種制御用のコントロール信号を生成し、変調回路２０２及び復調回路２０３を制御するとともに、指令に対応した送信データを生成し、変調回路２０２に供給する。また、制御回路２０１は、復調回路２０３からの応答データに基づいて再生データを生成し、外部に出力している。
【０１０２】
変調回路２０２は、制御回路２０１から入力された送信データを発信器が変調し、この変調した信号をリーダライタアンテナ回路２０４に供給する。復調回路２０３は、リーダライタアンテナ回路２０４からの変調波を復調し、この復調したデータを制御回路２０１に供給する。
【０１０３】
リーダライタアンテナ回路２０４は、平面状に導線が巻線されたループコイルを備えており、変調回路２０２より供給された変調波に対応した電磁場を放射するとともにバリュー送受信部２４のループコイル１０３の負荷変動を検出する。
【０１０４】
以上のように構成されるバリュー送受信部１５，２４では、所定データの書き込みが指令されると、この指令に基づいて制御回路２０１が書き込みのためのコマンド信号を生成するとともに指令に対応した送信データ（書き込みデータ）を生成し、変調回路２０２に供給する。変調回路２０２は、入力信号に基づいて発振信号の振幅を変調し、リーダライタアンテナ回路２０４に供給する。リーダライタアンテナ回路２０４は、入力された変調信号に対応する電磁波を放射する。
【０１０５】
受け手側のループコイル１０３及びコンデンサ１０４からなる並列共振型アンテナ回路の共振周波数は、リーダライタ５０からの発振周波数（キャリア周波数）に対応する値（本具体例では、１３．５６ＭＨｚである。）に設定されている。そのため、この並列共振型アンテナ回路は、放射された電磁場を共振動作によって受信し、受信した電磁場を電気信号に変換した後、ＩＣ１０２に供給する。
【０１０６】
ループコイルアンテナ回路１０１において電磁場から変換された電気信号は、整流回路１０５に入力されて整流平滑された後、レギュレータ１０６に供給される。また、ループコイルアンテナ回路１０１において電磁場から変換された電気信号は、整流回路１０５に入力されて整流平滑された後、レギュレータ１０６に供給される。レギュレータ１０６は、整流回路１０５から供給された電気信号の電圧変動（データ成分）を抑制、安定化した後、直流電力としてシーケンサ１０９に供給する。
【０１０７】
また、整流回路１０５により整流平滑された信号は、変調回路１１０を介してＨＰＦ１０７に供給され、高域成分が抽出された後、復調回路１０８に供給される。復調回路１０８は、入力された高周波成分の信号を復調し、シーケンサ１０９に供給する。シーケンサ１０９は、復調回路１０８から入力された信号（コマンド）をＲＡＭに記憶させ、ＲＯＭに内蔵されているプログラムにしたがってこれを解析し、解析して得た結果に基づいて、復調回路１０８から供給された書き込みデータをメモリ２２に書き込む。
【０１０８】
一方、シーケンサ１０９は、復調回路１０８から入力された信号（コマンド）が読み出し指令である場合に、その指令に対応する読み出しデータをメモリ２２から読み出す。また、シーケンサ１０９は、読み出しデータに対応して変調回路１１０のＦＥＴ１１７がスイッチング動作される。すなわち、変調回路１１０では、ＦＥＴ１１７がオンされるとインピーダンス１１６とループコイル１０３とが並列に接続され、ＦＥＴ１１７がオフされるとインピーダンス１１６とループコイル１０３との並列接続が解除される。
【０１０９】
その結果、この携帯電話１０側のループコイルアンテナ回路１０１と磁気的に結合しているリーダライタアンテナ回路２０４のインピーダンスが読み出しデータに対応して変化する。したがって、リーダライタアンテナ回路２０４の端子電圧は、そのインピーダンスの変化に応じて変動することとなり、送り手側は、この変動分を復調回路２０３が復調することで読み出しデータを受信できる。以上のようにして、送り手である携帯型電話機１０と受け手である携帯型電話機２０との間のデータの書き込み及び読み出しが非接触で行われる。
【図面の簡単な説明】
【０１１０】
【図１】本発明の実施例として示す電子バリュー伝送方法を説明するタイミング図である。
【図２】本発明の実施例として示す電子バリュー伝送方法におけるフェーズ１の一例を説明する図である。
【図３】本発明の実施例として示す電子バリュー伝送方法におけるフェーズ１の別の例を説明する図である。
【図４】本発明の実施例として示す電子バリュー伝送方法におけるフェーズ２及びフェーズ３の具体例を説明する図である。
【図５】本発明の実施例として示す電子バリュー伝送方法におけるフェーズ２及びフェーズ３の具体例を説明する図である。
【図６】本発明の実施例として示す電子バリュー伝送方法におけるフェーズ２及びフェーズ３の具体例を説明する図である。
【図７】本発明の電子バリュー伝送方法を適用した電子バリュー伝送システムを説明するブロック図である。
【図８】本発明の電子バリュー伝送方法を適用した電子バリュー伝送システムを説明するブロック図である。
【図９】本発明の電子バリュー伝送方法を適用した電子バリュー伝送システムを説明するブロック図である。
【図１０】本発明の実施例として示すバリュー送受信部を説明する構成図である。
【符号の説明】
【０１１１】
１  電子バリュー伝送システム、  １０    携帯型電話機、
１１    通話受話ブロック、  １２    メモリ、  １３    認証処理部、
１４    暗号化部、  １５    バリュー送受信部、  １６    制御部、
２０    携帯型電話機、  ２１    通話受話ブロック、  ２２    メモリ、
２３    認証処理部、  ２４    バリュー送受信部、  ２５    暗号復号化部、
２６    制御部、  １０１    ループコイルアンテナ回路、  １０２    ＩＣ、
１０３    ループコイル、  １０４    コンデンサ、  １０５    整流回路、
１０６    レギュレータ、  １０７    ＨＰＦ、  １０８    復調回路、
１０９    シーケンサ、  １１０    変調回路
【図１】
2006155045.tif 000003
【図２】
2006155045.tif 000004
【図３】
2006155045.tif 000005
【図４】
2006155045.tif 000006
【図５】
2006155045.tif 000007
【図６】
2006155045.tif 000008
【図７】
2006155045.tif 000009
【図８】
2006155045.tif 000010
【図９】
2006155045.tif 000011
【図１０】
2006155045.tif 000012